(57)【要約】【課題】マトリクス型の表示パネルの表示領域の輝度を部分的に強調することができる表示制御装置及び表示装置を提供する。【解決手段】複数の走査線のうち選択された走査線に選択信号を供給し、駆動する走査線駆動手段と、複数のデータ線に表示データに応じたデータ信号を供給し、該複数のデータ線を分割して駆動するデータ線駆動手段と、表示パネルに配置された表示画素のうち表示輝度を変更する表示画素の表示領域を設定する設定手段と、を有し、データ線駆動手段は、前記設定手段により設定された表示領域に存在するデータ線の駆動時間を、前記設定手段により設定されていない表示領域に存在するデータ線の駆動時間よりも長くする。【選択図】  図２
2004295001.tif 000002
【特許請求の範囲】
【請求項１】
複数の走査線と複数のデータ線とにより形成されたマトリクスの交点に表示画素が配置された表示パネルの表示を制御する表示制御装置において、
前記複数の走査線のうち選択された走査線に選択信号を供給し、駆動する走査線駆動手段と、
前記複数のデータ線に表示データに応じたデータ信号を供給し、該複数のデータ線を駆動するデータ線駆動手段と、
前記表示パネルに配置された表示画素のうち表示輝度を変更すべき表示画素がある表示領域を設定する設定手段と、を有し、
前記データ線駆動手段は、前記設定手段により設定された表示領域に存在するデータ線の駆動時間を、前記設定手段により設定されていない表示領域に存在するデータ線の駆動時間よりも長くすることを特徴とする表示制御装置。
【請求項２】
請求項１に記載の表示制御装置と、
複数の走査線と、複数のデータ線と、前記複数の走査線と前記複数のデータ線とにより形成されたマトリクスの交点に配置された表示画素と、から構成される表示パネルと、
を有することを特徴とする表示装置。
【請求項３】
複数の走査線と複数のデータ線とにより形成されたマトリクスの交点に表示画素が配置された表示パネルの表示を制御する表示制御方法において、
前記複数の走査線のうち選択された走査線に選択信号を供給し、駆動する走査線駆動工程と、
前記複数のデータ線に表示データに応じたデータ信号を供給し、該複数のデータ線を駆動するデータ線駆動工程と、
前記表示パネルに配置された表示画素のうち表示輝度を変更すべき表示画素がある表示領域を設定する設定工程と、を有し、
前記データ線駆動工程では、前記設定工程にて設定された表示領域に存在するデータ線の駆動時間を、前記設定工程にて設定されていない表示領域に存在するデータ線の駆動時間よりも長くすることを特徴とする表示制御方法。
【発明の詳細な説明】
【０００１】
【発明の属する技術分野】
本発明は、表示制御装置及び表示装置及び表示制御方法に関し、例えばマトリクス駆動型の表示パネルを備えた表示装置の表示制御技術に関する。
【０００２】
【従来技術】
昨今の情報化社会の中、各種インフラの発達、また、装置技術の発達に伴いＴＶ受信、インターネット閲覧、電子メール、スケジュール管理帳、等を同時に扱える端末装置が普及している。
【０００３】
該装置においては、上記のさまざまな内容を同時に、入れ替わり表示するようなケースが多い。そのような場合、画面上に複数のウインドウが表示される。
【０００４】
図３は、このような表示を行う表示器の一例を示した概略構成図である。図３に示す表示器は、走査線電極Ｙとデータ線電極Ｘとが交差したマトリクス型のパネル構造をもち、走査線電極Ｙには順次１行ずつ選択電圧が印加され、その他の行には非選択電圧が印加される。データ線電極Ｘには選択されている行の各表示画素のＯＮ／ＯＦＦに応じた信号電圧が行毎に印加され画像が表示される。このような画素表示を行う表示器は、単純マトリクス型の液晶表示器（ＬＣＤ）、エレクトロルミネッセンス素子を用いた表示器（ＥＬＤ）、プラズマ表示器（ＰＤＰ）、電界放出型表示器（ＦＥＤ）、表面伝導型電子放出素子を用いた表示器（ＳＥＤ）、マイクロミラーを用いた表示器（ＤＭＤ）等の表示パネルに多く使用されている。
【０００５】
また、近年、表示パネルの駆動方式の性能の向上に伴い、デューティー比（各画素に対する一定時間内の駆動時間）が低くても、十分な輝度、コントラスト等の性能が確保できるようになってきている。
【０００６】
その一方で、携帯機器で使用する場合、機器の電池寿命を延ばすために、どのように省電力駆動をするかが重要になってきている。
【０００７】
これらの表示パネルを有する装置において、あるウインドウを見やすくするために、ある注目領域の輝度を上げたい場合がある。
【０００８】
このような場合、非注目領域の画像データを、輝度を低くするように変更し、相対的に注目領域を明るく見せることが一般的である。
【０００９】
また、これら表示パネルを省電力で走査する方法としては、Ｘ方向のドライバの１走査時間当たりの駆動時間（点灯時間）を小さくするか、Ｘドライバに対する印加電圧を低くするのが一般的である。
【００１０】
上記のように、従来、注目領域の輝度の制御と省電力制御とは別途行われており、制御も複雑になりがちであった。
【００１１】
これら、注目領域の輝度を制御する従来の例として、特許文献１及び特許文献２に記載の表示装置がある。
【００１２】
【特許文献１】
特許第２７６０９０２号公報
【特許文献２】
特開平１１−３１１９８１号公報
【００１３】
【発明が解決しようとする課題】
しかしながら、上記のような従来技術の場合には、下記のような問題が生じていた。
【００１４】
引用文献１に記載の表示装置では、該表示装置に対し、一定時間入力がない場合、ドライバの動作を停止して部分表示にするものであり、引用文献２に記載の表示装置では、非表示領域に対し、Ｙ走査ドライバに電圧を印加し、階調制御された背景表示を行うようなものであり、ともに注目領域以外は非表示としてしまい、全体を表示する中で、注目領域の輝度を制御するようなものではない。
【００１５】
本発明は上記の従来技術を鑑みなされたもので、その目的とするところは、マトリクス型の表示パネルの表示領域の輝度を部分的に強調することができる表示制御装置及び表示装置を提供することにある。
【００１６】
【課題を解決するための手段】
上記目的を達成するために本発明に係る表示制御装置にあっては、
複数の走査線と複数のデータ線とにより形成されたマトリクスの交点に表示画素が配置された表示パネルの表示を制御する表示制御装置において、
前記複数の走査線のうち選択された走査線に選択信号を供給し、駆動する走査線駆動手段と、
前記複数のデータ線に表示データに応じたデータ信号を供給し、該複数のデータ線を駆動するデータ線駆動手段と、
前記表示パネルに配置された表示画素のうち表示輝度を変更すべき表示画素がある表示領域を設定する設定手段と、を有し、
前記データ線駆動手段は、前記設定手段により設定された表示領域に存在するデータ線の駆動時間を、前記設定手段により設定されていない表示領域に存在するデータ線の駆動時間よりも長くすることを特徴とする。
【００１７】
また、本発明は、複数の走査線と複数のデータ線とにより形成されたマトリクスの交点に表示画素が配置された表示パネルの表示を制御する表示制御方法において、
前記複数の走査線のうち選択された走査線に選択信号を供給し、駆動する走査線駆動工程と、
前記複数のデータ線に表示データに応じたデータ信号を供給し、該複数のデータ線を駆動するデータ線駆動工程と、
前記表示パネルに配置された表示画素のうち表示輝度を変更すべき表示画素がある表示領域を設定する設定工程と、を有し、
前記データ線駆動工程では、前記設定工程にて設定された表示領域に存在するデータ線の駆動時間を、前記設定工程にて設定されていない表示領域に存在するデータ線の駆動時間よりも長くすることを特徴とする。
【００１８】
上記構成によれば、複数のデータ線を分割駆動し、１水平走査期間（１Ｈ期間）内における駆動時間を設定された表示領域と設定されていない表示領域とで異ならせることで、省電力制御により容易に注目箇所の輝度を上げるとともに、非注目箇所も消灯することなく画像が表示されるので、表示装置の画面全体に再生される画像全体を認識しながら、注目箇所のみを強調することができる。しかも、水平方向における特定箇所を注目箇所とすると、同じ走査線上の非注目箇所に対して、注目箇所の輝度を相対的に上げることができる。
【００１９】
前記データ駆動手段は、前記複数のデータ線を分割したブロックごとに複数のデータ線ドライバを有し、前記データ線を、前記データ線ドライバごとに駆動することが好適である。
【００２０】
上記構成によれば、複数のデータ線を、複数のデータ線ドライバにより分割駆動することで、全ドライバ同時駆動に比較し、駆動電流を分散し、駆動電源のピーク電流を減らし、効率的な電源の利用ができる。
【００２１】
前記走査線駆動手段により選択された走査線の１水平走査期間が一定である表示制御装置であって、
前記設定手段により設定された表示領域に存在するデータ線の駆動時間を新たに変更する駆動時間変更手段を有し、
前記駆動時間変更手段により新たに変更された全てのデータ線の駆動時間と、前記設定手段により設定されていない表示領域に存在する全てのデータ線の駆動時間と、の総和が前記１水平走査期間以内であることが好適である。
【００２２】
前記駆動変更手段により新たに変更されたデータ線の駆動時間は、通常駆動モードの場合のデータ線の駆動時間より長いことが好適である。
【００２３】
前記データ線ドライバごとに前記データ線の駆動時間を制御し、前記設定手段により設定された表示領域に存在するデータ線の駆動時間を増やし、及び／又は前記設定手段により設定されていない表示領域に存在するデータ線の駆動時間を減らすことが好適である。
【００２４】
また、本発明に係る表示装置にあっては、
前記表示制御装置と、
複数の走査線と、複数のデータ線と、前記複数の走査線と前記複数のデータ線とにより形成されたマトリクスの交点に配置された表示画素と、から構成される表示パネルと、
を有することを特徴とする。
【００２５】
【発明の実施の形態】
以下に図面を参照して、この発明の好適な実施の形態を例示的に詳しく説明する。ただし、この実施の形態に記載されている構成部品の機能、寸法、材質、形状、その相対配置などは、特に特定的な記載がない限りは、この発明の範囲をそれらのみに限定する趣旨のものではない。また、以下の説明で一度説明した部材についての機能、材質、形状などは、特に改めて記載しない限り初めの説明と同様のものである。
【００２６】
はじめに、図１を参照して、本願発明の実施の形態に係る表示装置の概略を説明する。図１は、本実施の形態に係るＴＶ受信可能なインターネット端末装置の全体をあらわすブロック図である。
【００２７】
本端末装置１０は、ＴＶ放送の視聴、インターネット接続によるＷｅｂページの閲覧、データの転送のほか、装置本体内にあるスケジュール帳、住所録といったアプリケーションソフトを動作させ必要な表示、音声出力をも行うことが可能な装置である。
【００２８】
アンテナ部１０１は、ＴＶ放送の電波受信、後述する無線通信送受信部１０５でのデータ送受信のために使用される。
【００２９】
ＴＶ受信部１０２は、ＴＶ放送電波より、電波を受信、増幅し、所望のチャネルを選択後、デコードし、画像・音声データとして検波、分離し、変換部１０３へ出力する。
【００３０】
変換部１０３は、前記ＴＶ受信部１０２より入力した画像データを後述する描画及び制御部１３１で入力可能なデータに変換し、描画及び制御部１３１へ出力する。
【００３１】
アナログ放送では、輝度、色差信号分離後、Ａ／Ｄ変換され、デジタル放送においては、ＭＰＥＧデコードが行われる。
【００３２】
同様に、音声データも、後述する音声制御部１１１で入力可能なように変換され、音声制御部１１１へ出力される。
【００３３】
インターネットと通信を行う通信送受信部１０５は、後述する統括制御部１９９の制御により、インターネットサーバと接続、データの送受信を無線等で行い、該データの保存を行う後述するメモリ部１９２への保存、該データより表示、音声データを生成し、描画及び制御部１３１を通して、表示部１３２への表示、音声制御部１１１を通して、音声出力部１１２への出力を行う。
【００３４】
描画及び制御部１３１は、変換部１０３からのＴＶ表示データと、統括制御部１９９により制御されたインターネット、装置内アプリケーション等の表示データと、これらの中で強調表示指定された表示データとを合成し、また、制御信号を生成し、前記表示データとともに後述する表示部１３２へ出力する。
【００３５】
表示部１３２は、前述図３に示したような構造を有する単純マトリクス駆動方式が採用されており、描画及び制御部１３１から表示データと制御信号が入力され表示を行う。
【００３６】
入力部１９１は、ユーザが、表示、音声出力等の操作を行うための、キーボタン類である。これらは、メニューキー、カーソルキー、決定キー、各種ファンクションキー、また、端末装置の電源をＯＮ／ＯＦＦするための電源キー、などがある。
【００３７】
メモリ部１９２は、後述する統括制御部１９９が端末装置１０を制御するための制御データ、描画、表示、音声出力のためのデータ、前記インターネット送受信のデータ、また、演算処理データ等の一時保存に使用される。
【００３８】
データ保存部であるＨＤＤ部１９３は、後述する統括制御部１９９が端末装置１０を制御するためのプログラム、表示、音声出力のためのデータ、前記インターネット送受信のデータの保存に使用される。
【００３９】
統括制御部１９９は、端末装置１０を統括的に制御するためのものである。
【００４０】
ＴＶ受信においては、ユーザの入力部１９１よりのキー入力に基づいて、チャネルの選曲、コントラスト、色合といった画質の調整、音声の調整を行う。
【００４１】
無線通信送受信においては、ユーザの要求に基づいて、通信送受信部１０５を制御し、通信路の接続、各種サーバへの接続を制御し、インターネットＷｅｂページよりデータを受信、メールの送受信等を行い、必要に応じ、メモリ部１９２、ＨＤＤ部１９３へ前記データの保存を行う。
【００４２】
また、統括制御部１９９は、ユーザ操作により、装置内のスケジュール帳、住所録、と言った各種アプリケーションプログラムを起動させ、それぞれのプログラムに応じた制御、表示、送受信、保存等を行う。
【００４３】
また、統括制御部１９９は、描画及び制御部１３１を制御し、表示に必要な描画データ、表示データの書き込みを行う。
【００４４】
また、統括制御部１９９は、アプリケーション、あるいは、ユーザ要求に応じ、強調表示したい領域を設定し、強調表示制御を行う。
【００４５】
内部バスＳ１１は、統括制御部１９９により、通信送受信部１０５、入力部１９１よりのデータの転送等、また、描画及び制御部１３１への表示データの転送にも使用される。
【００４６】
また、統括制御部１９９は、描画及び制御部１３１へ輝度調整領域の設定制御等の制御、ＴＶ受信部１０２、通信送受信部１０５等の本端末装置各部の制御も行う。
【００４７】
図２は、図１に示す端末装置の、描画及び制御部１３１、表示部１３２の詳細を示した図である。
【００４８】
表示データ合成部１３１ａは、変換部１０３からのＴＶ表示データと、後述する描画制御部１３１ｃからの表示データを、統括制御部１９９の制御に基づいて表示位置、表示サイズ、重ね制御等の制御を行い、表示メモリ部１３１ｂへ出力する。
【００４９】
表示メモリ部１３１ｂは、後述する表示パネル１３２ｄへ表示される内容が書き込まれたメモリである。
【００５０】
描画制御部１３１ｃは、いわゆるグラフィクス制御部であって、統括制御部１９９により、制御、生成された、インターネットや装置内アプリケーション等の表示データ、描画制御データをＳ１１内部バス経由で入力し、表示データ、合成制御データ等を生成し、表示データ合成部１３１ａへ出力する。
【００５１】
設定部１３１ｄは、駆動モード、輝度を上げて表示したい強調領域等を選択し設定するためのレジスタである。
【００５２】
図４は、１フレーム走査期間における通常駆動のタイミングチャートの一例を示しており、Ｙ１、Ｙ２，Ｙｍが各１Ｈ期間を、Ａが１Ｈ期間内の駆動期間を、ＢＬが水平ブランキング期間を、１フレーム最後の長い期間ＢＬが垂直ブランキング期間を示している。
【００５３】
図５は、本実施の形態に係る駆動設定レジスタの内容を示す表である。
【００５４】
図５において、全画面通常駆動モードレジスタの全画面通常輝度モードビットは、“１”で従来の１ライン全画素同一駆動モード、“０”でドライバ分割駆動モードの２つが選択できるようになっており、表示パネルの性能、駆動電圧等によって選択する。
【００５５】
また、通常モードブランキング時間レジスタにより、通常輝度モード時のＸ方向のブランキング時間の設定を行えるようになっている。
【００５６】
本実施の形態では、フレーム周波数は一定の値であり、前記ブランキング時間を設定すると、後述の各駆動方式の全画面通常輝度モード時の駆動時間が決定する。
【００５７】
部分輝度強調設定レジスタは、本実施の形態では、後述する「部分強調モード１」から「部分強調モード５」の５つの部分強調駆動方式の設定を行うレジスタであり、前記全画面通常輝度モードがドライバ分割駆動モードの場合は、部分強調モード１、部分強調モード２が対応しており、１ライン全画素駆動モードの場合は、部分強調モード３から部分強調モード５が対応している。
【００５８】
従って、全画面通常駆動モードレジスタがドライバ分割駆動モードの場合で、部分輝度強調したい場合は、部分強調モード１、あるいは部分強調モード２を選択し、全画面通常駆動モードレジスタが１ライン全画素同一駆動モードで部分輝度強調したい場合は、部分強調モード３、部分強調モード４、あるいは部分強調モード５を選択する。
【００５９】
部分輝度強調係数レジスタは、部分輝度強調を行う場合、強調領域に対する駆動時間を非強調領域、あるいは、全画面通常輝度に比較し、どの程度長くするかを設定するレジスタである。
【００６０】
Ｘ方向部分強調範囲レジスタ、Ｙ方向部分強調範囲レジスタは、部分輝度強調したい表示範囲を設定するもので、後述する図６で説明するような、Ｘ、Ｙ方向の輝度強調の範囲の開始、終了アドレスを、Ｘｉ、Ｘｊ、Ｙｉ、Ｙｊという形で設定する。
【００６１】
アドレス及びタイミング制御部１３１ｅは、後述するＸ方向ドライバ１３２ａに対し書き込みが必要な、後述する各種タイミングの算出、前記タイミング信号の生成、前記タイミング信号に従った制御を行う。
【００６２】
前記タイミングに従って、Ｘ方向ドライバ１３２ａに必要な領域の表示データを、表示メモリ部１３１ｂから読み出し、表示データ線Ｓ１３ａを通して、Ｘ方向ドライバ１３２ａに書き込む。
【００６３】
また、Ｘ方向ドライバ１３２ａの出力イネーブル信号Ｓ１３ｂの生成、タイミング制御、Ｙ方向ドライバ１３２ｃの走査出力アドレス生成、タイミング制御を行う。
【００６４】
また、設定部１３１ｄは、強調領域レジスタ部からのデータに基づき、Ｘ方向ドライバ１３２ａへの書き込み、出力イネーブル信号の生成、Ｙ方向ドライバ１３２ｃの走査アドレス信号の生成、タイミング制御を行う。
【００６５】
Ｘ方向ドライバ１３２ａは、ブロックごとに複数のデータ線を有するドライバＤＸ１からＤＸＮまでのＮ個のドライバからなるデータ線駆動手段である。
【００６６】
１チップの半導体集積回路からなる各ドライバは、ＤＸｎ本のデータ線を駆動可能（実際はＲ、Ｇ、Ｂを駆動するのでさらに３倍）なデータ出力線と、データの入力線“ＤＴ”、各ドライバのデータ書き込みイネーブル“Ｗ”、ドライバの出力イネーブル線“Ｅ”、を有しており、データの書き込み、出力制御を行う。
【００６７】
データ入力は、データ書き込みイネーブル“Ｗ”が、アクティブなドライバに対し行われ、最初に、そのドライバの駆動開始アドレス“ＡＤＳＴＡＴ”と駆動終了アドレス“ＡＤＥＮＤ”が書き込まれ、ドライバ内で出力イネーブル“Ｅ”によってデータ線が駆動されるアドレス領域がセットされる。
【００６８】
通常の全表示領域表示であれば、ここは、Ｘ方向ドライバの全出力データ線であり、駆動開始アドレスは“０”、駆動終了アドレスは“ＤＸｎ”である。
【００６９】
その後、Ｒ、Ｇ、Ｂデータが書き込まれる。該ドライバはダブルバッファ方式となっており、データの入力が完了し、データ書き込みイネーブル“Ｗ”が、インアクティブになると書き込みデータは出力バッファに移動し表示出力が可能になるとともに、ドライバに対し、次のデータの書き込みが可能となる。すなわち、ドライバへのデータの転送と表示パネルへの出力は独立して行うことができる構造になっている。
【００７０】
一方、データの出力は、出力イネーブル“Ｅ”がアクティブなドライバの前記データ書き込み時にセットされた駆動開始アドレスから駆動終了アドレスまでの出力線が駆動される。
【００７１】
Ｙ方向ドライバ１３２ｃは、後述するＹ方向制御線Ｓ１３ｃにより、表示パネル１３２ｄのＹ方向電極を１ラインごとに順次駆動するような走査線駆動回路であり、Ｄｙ１〜ＤｙＭまでのＭ個のドライバで構成されている。
【００７２】
マトリクス構造の自発光型表示パネル１３２ｄは、前述の図３で説明したような構造を有し、Ｘ方向ドライバ１３２ａと、Ｙ方向ドライバ１３２ｃにより、その交点に配置された表示画素を駆動し、発光させることにより表示を行うものであり、Ｘ方向にｎ画素、Ｙ方向にｍ画素を有しており、前述のドライバにより駆動される。
【００７３】
なお、本実施の形態では、前記Ｘ方向ドライバの数Ｎ個と、Ｘ方向ドライバの駆動データ線ＤＸｎ本は、ちょうどｎ＝Ｎ×ＤＸｎの関係にあるものとする。
【００７４】
図６は、本実施の形態に係る強調表示領域を説明するための模式図である。表示部１３２で説明した表示パネルにおける強調表示領域は、Ｘ方向はデータ線Ｘｉ〜Ｘｊでｑ＝Ｘｊ−Ｘｉ、Ｙ方向は走査線ＹｉからＹｊでｐ＝Ｙｊ−Ｙｉとする。
【００７５】
この際、強調したいＸ方向領域Ｘｊ−Ｘｉは、Ｘ方向ドライバＤＸ２〜ＤＸｇ内のＲ個のドライバにあるものとし、最初のドライバＤＸ２の強調駆動のための駆動開始アドレスはＡＤＳＴＡＴ２、最後のドライバＤＸｇでの駆動終了アドレスは、ＡＤＥＮＤｇとする。
【００７６】
次に、本実施の形態におけるいくつかのＸドライバの駆動方式による部分輝度強調について実施例を参照して説明する。
【００７７】
【実施例】
（第１の実施例）
最初に、全画面通常輝度表示をドライバ分割駆動モードで行い、部分輝度強調を部分強調モード１で行う第１の駆動方法について述べる。
【００７８】
まず、ドライバ分割駆動モードによる全画面通常輝度表示の動作を図７を参照して説明する。図７は、ドライバ分割駆動モードによる全画面通常輝度表示の駆動タイミングを示した図である。
【００７９】
なお、本駆動方法においては、フレーム走査周波数は一定であり、Ｙ方向走査時間（１ライン走査時間）も一定で“ｔＨＤ”とする。
【００８０】
統括制御部１９９は、ドライバ分割駆動モードによる全画面通常表示を行うために、まず、設定部１３１ｄの設定レジスタの通常駆動モードを“０”に、通常モードブランキング時間に“ｔＢＬＮＫ１”を設定する。
【００８１】
すると、アドレスタイミング制御部１３１ｅは、通常駆動時間ｔａを（式１）により算出し、表示部１３２の制御準備を行う。
【数１】
2004295001.tif 000003
【００８２】
次に、表示メモリ部１３１ｂよりＸ方向ドライバ１３２ａに、図７に示すタイミングに従って、Ｗ１からＷＮを制御し、データ入力線ＤＴ１からＤＴＮより表示データを書き込み、それが完了すると、走査すべきＹ方向ドライバの駆動が開始され、水平走査期間ｔＨＤが開始される。
【００８３】
次にＥ１からＥＮを、前記算出した通常駆動時間ｔａずつアクティブとし、Ｘ方向ドライバＤＸ１〜ＤＸＮを前記書き込んだデータに基づき順次駆動し、表示パネル１３２ｄを駆動し、表示を行う。
【００８４】
Ｘ方向ドライバＤＸＮまで駆動が終了すると、ｔＢＬＮＫ１のブランキング時間に入る。
【００８５】
そして、該ブランキング時間ｔＢＬＮＫ１の終了直前、次のＹ方向走査線に対するＸ方向ドライバへのデータの書き込みが行われ、その書き込みの終了後、Ｙ方向ドライバの駆動を次の走査線に移行する。
【００８６】
このようにして、Ｙ方向ドライバと、Ｘ方向ドライバを駆動し、表示パネル１３２ｄ全画面にドライバ分割駆動による全画面通常輝度表示を行う。通常駆動時間ｔａは、対応するデータ線上の画素が点灯可能な最大時間であり、振幅変調により画素の階調表示を行う場合には、全黒を除くと、このｔａ期間に、選択された走査線上の全画素に駆動電圧又は駆動電流が供給される。一方、パルス幅変調により画素の階調表示を行う場合には、最高階調レベルに対応した最大パルス幅の電圧又は電流がこのｔａ期間に画素に供給される。
【００８７】
次に、通常輝度駆動時において、部分強調モード１で部分輝度強調を行う動作を、図８、図９を参照して説明する。図８は、第１の実施例に係る部分強調モード１Ａを説明するためのタイミングチャートである。図９は、第１の実施例に係る部分強調モード１Ｂを説明するためのタイミングチャートである。
【００８８】
部分強調モード１は、図７の各ドライバに対し、強調領域に対してドライバの駆動時間を非強調領域のドライバ駆動時間より長くするモードであり、Ｘ方向の強調領域に対応したドライバ数、強調全画面通常輝度モード時のブランキング時間、輝度強調係数の設定により、図８と図９に示す２つのモードがある。
【００８９】
図８に示す部分強調モード１Ａは、全画面通常輝度表示時の部分強調駆動部の強調領域追加駆動時間ｔｂ１の総和が、前記ブランキング時間ｔＢＬＮＫ１以内に収まる場合（言い換えると、全画面通常輝度表示の駆動時間と部分強調駆動部の強調領域追加駆動時間の総和が１ライン走査時間ｔＨＤ以内の場合）であり、この場合、全画面通常輝度表示時の通常駆動時間と、部分輝度強調駆動時の非強調領域の駆動時間は同じｔａ１で、部分輝度強調駆動を行う領域の駆動時間がｔａ１＋ｔｂ１として駆動可能で、非強調領域に対し輝度強調領域の輝度が増加する。
【００９０】
なお、この場合、全画面通常輝度表示時の通常駆動時間と、部分輝度強調駆動時の非強調領域の駆動時間はｔａ１で同じであり、輝度も同じである。
【００９１】
一方、図９に示す部分強調モード１Ｂは、全画面通常輝度表示時の部分強調駆動部の強調領域追加駆動時間ｔｂ１の総和が前記ブランキング時間ｔＢＬＮＫ１以内に収まらない場合である。
【００９２】
この場合、このままでは駆動不可能なので、部分輝度強調駆動時の非強調領域の駆動時間と部分輝度強調駆動部の強調領域追加駆動時間の総和が、１ライン走査時間ｔＨＤになるように、新たに非強調領域駆動時間ｔａ２、強調領域追加駆動時間ｔｂ２が算出され、これに従って駆動される。
【００９３】
こうすると、部分輝度強調駆動時の非強調領域の駆動時間はｔａ２、部分輝度強調駆動を行う領域の駆動時間がｔａ２＋ｔｂ２とし、輝度強調領域の輝度が増加する場合である。
【００９４】
ただし、非強調領域の駆動時間はｔａ２は、全画面通常輝度駆動時間ｔａ１より短くなるため、部分輝度強調駆動時の非強調領域の輝度は低下する。
【００９５】
この違いは、後述する輝度強調係数ｋ、Ｘ方向の輝度強調領域の広さ、ブランキング時間によって左右され、輝度強調係数が大きい、輝度強調領域が広い、ブランキング時間が短いような場合、輝度強調領域の強調領域追加駆動時間の総和が、ブランキング時間に収まり切らず、図９に示す部分強調モード１Ｂとなる。
【００９６】
部分強調モード１における輝度強調係数ｋは、非強調領域の駆動時間（図８ではｔａ１、図９ではｔａ２）に対する強調領域の駆動時間（図８ではｔａ１＋ｔｂ１、図９ではｔａ２＋ｔｂ２）の比、すなわち、ｋ＝（ｔａ１＋ｔｂ１）／ｔａ１、あるいは、ｋ＝（ｔａ２＋ｔｂ２）／ｔａ２を言う。
【００９７】
次に部分強調モード１の動作について説明する。
【００９８】
統括制御部１９９は、部分強調モード１に設定するため、設定部１３１ｄの設定レジスタの部分輝度強調モードレジスタに部分強調モード１を意味する“１”を、部分輝度強調係数レジスタに“ｋ１”を書き込む。
【００９９】
また、Ｘ方向部分強調範囲レジスタに強調開始データ線アドレス“Ｘｉ”及び強調終了データ線アドレス“Ｘｊ”を、Ｙ方向部分強調範囲レジスタに駆動開始アドレス“Ｙｉ”及び駆動終了アドレス“Ｙｊ”を書き込む。
【０１００】
統括制御部１９９により、前記レジスタがセットされると、アドレスタイミング制御部１３１ｅは、強調したい領域が、図６で説明したように、ＤＸ２からＤＸｇにまたがったＲ個のドライバの駆動領域となることを認識し、強調領域追加駆動時のＤＸ２の駆動開始アドレス“ＡＤＳＴＡＴ２”と、ＤＸｇに対する駆動終了アドレス“ＡＤＥＮＤｇ”を算出し、データの書き込み準備を行う。
【０１０１】
次に、前述の部分強調モード１Ａが可能かどうか演算を行う。
【０１０２】
アドレスタイミング制御部１３１ｅは、１ライン走査時間ｔＨＤ、ブランキング時間ｔＢＬＮＫ１、Ｘ方向画素数Ｎより、（式１）を用いてｔａ１を算出し、さらにｔａ１と輝度強調係数ｋ１より、部分輝度強調時の強調領域追加駆動時間ｔｂ１＝（ｋ１−１）×ｔａ１を算出し、これに輝度強調駆動領域部の総和時間、すなわち、ｔｂ１に輝度強調のため駆動するドライバ数Ｒを乗じたものが、ブランキング時間ｔＢＬＮＫ１より小さい場合は、部分強調モード１Ａで駆動が可能であり、部分強調モード１Ａでの駆動を開始する。
【０１０３】
まず、部分強調モード１Ａの駆動の場合を説明する。部分強調モード１Ａで駆動が不可能な場合は、部分強調モード１Ｂによる駆動となるがこれは後述する。
【０１０４】
最初の走査線Ｙ１からＹｉ−１までの走査線は、非強調領域であり、該走査線に対しては、図８の非強調ラインの図のごとく、全画面通常輝度表示で説明（図７）したのと同じドライバＤＸ１からＤＸＮを通常輝度駆動時間“ｔａ１”で順次駆動する動作を行う。
【０１０５】
そして、輝度強調領域を含む走査線Ｙｉ−１のブランキング時間になると、まず、表示メモリ部１３１ｂよりＸ方向ドライバ１３２ａに、図８の強調ラインのタイミングに従って、Ｘ方向ドライバＤＸ１〜ＤＸＮに対し、この走査線Ｙｉのデータの書き込みを行うために、書き込みイネーブル“Ｗ”のＷ１からＷＮまでをアクティブとし、各ドライバの駆動開始アドレスを“０”、駆動終了アドレスを“ＤＸｎ”とし、表示データＤＴ１〜ＤＴＮを書き込む。
【０１０６】
ここまでは、全画面通常輝度表示と同じである。
【０１０７】
書き込みが終了すると、前記Ｗ１〜ＷＮをインアクティブとし、図８に示す表示したいを走査線Ｙｉをアクティブとし、表示出力バッファにデータがセットされ表示が開始される。
【０１０８】
最初に、ドライバＤＸ１に対するデータ線を駆動するために、ＤＸ１の出力イネーブル“Ｅ１”を、前記算出した通常輝度駆動時間“ｔａ１”アクティブにする。
【０１０９】
次に、ドライバＤＸ２の駆動が行われる。該ドライバＤＸ２からＤＸｇまでのＲ個のドライバは強調領域を含んでいる。
【０１１０】
まず、ドライバＤＸ２の出力イネーブル“Ｅ１”を、前記算出した通常輝度駆動時間“ｔａ１”アクティブにする。
【０１１１】
これと同時に、ＤＸ２に対する書き込みイネーブル“Ｗ２”をアクティブにし、強調領域の駆動開始アドレス“ＡＤＳＴＡＴ２”、駆動終了アドレス“ＤＸｎ”と、対応するデータをＤＸ２に書き込む。
【０１１２】
そして、前記駆動時間“ｔａ１”が終了するタイミングで、前記書き込みイネーブル“Ｗ２”をインアクティブにし、出力イネーブル“Ｅ１”を前記算出した部分輝度強調のための強調領域追加駆動時間“ｔｂ１”さらにアクティブとし、前記書き込まれた駆動開始アドレス“ＡＤＳＴＡＴ２”から駆動終了アドレス“ＤＸｎ”までのデータ線を前記時間“ｔｂ１”、追加駆動する。
【０１１３】
“ｔｂ１”が終了すると、出力イネーブル“Ｅ１”をインアクティブとし、ＤＸ２に対する駆動を終了する。
【０１１４】
ドライバＤＸ３に対しても同様の動作を行い、駆動時間“ｔａ１＋ｔｂ１”での駆動が行われる。
【０１１５】
ＤＸ３からＤＸｇ−１までのドライバに対する強調領域は全領域であり、駆動開始アドレスは“０”、駆動終了アドレス“ＤＸｎ”は変らないので、前記ＤＸ２のようなセット動作は行わなくて良い。
【０１１６】
そして、強調領域が含まれる最後のドライバＤＸｇまでくると、ドライバＤＸｇの出力イネーブル線“Ｅｇ”を通常駆動時間“ｔａ１”アクティブにすると同時に、駆動開始アドレスを“０”、駆動終了アドレス“ＡＤＥＮＤｇ”にセットし、ＤＸｇに対するデータの書き込みを行い、ドライバＤＸｇに対し、出力イネーブル線“Ｅｇ”を時間“ｔｂ１”アクティブにすることで、駆動開始アドレス“０”から駆動終了アドレス“ＡＤＥＮＤｇ”までのデータ線を前記強調領域追加駆動時間“ｔｂ１”で駆動する。こうして、強調領域に対する駆動を終了する。
【０１１７】
そして、以降ドライバＤＸｇ＋１〜ＤＸＮまでは非強調領域であり、該走査線に対しては、前述全画面通常輝度表示で説明したのと同じドライバＤＸ１からＤＸＮを通常輝度駆動時間“ｔａ１”で順次駆動する動作を行う。
【０１１８】
ＤＸＮまでの駆動が終了すると、ブランキング時間に入る。そして、次の駆動走査線がアクティブになる前に、次の走査線に対するデータ書き込みを行い、次の部分強調の駆動を行う。
【０１１９】
こうして、部分強調領域を含む走査線ＹｉからＹｊまでの走査を終了後、Ｙｊ＋１からＹｍまでの非強調領域の走査線に対しては、前述と同様、ドライバＤＸ１からＤＸＮを通常輝度駆動時間“ｔａ１”で順次駆動する動作を行う。
【０１２０】
このようにして、１フレームの表示が完了する。
【０１２１】
前述演算にて部分強調モード１Ａで駆動不可能な場合は、アドレスタイミング制御部１３１ｅは、通常駆動時間ｔａ２と、強調領域追加駆動時間ｔｂ２を、前記輝度強調係数ｋ１と、輝度強調領域の駆動ドライバ数Ｒを基に、（式２）からなる連立方程式を満たすｔａ２、ｔｂ２を求める。
【数２】
2004295001.tif 000004
すなわち、
【数３】
2004295001.tif 000005
（式３）として算出され、この結果に基づいて、部分強調動作を開始する。
【０１２２】
駆動の動作の順序を図９に示す。順序としては、非強調領域走査線の駆動は、図９（ａ）の通り、部分強調モード１Ａと同一であり、強調領域を含む走査線の駆動は、図９（ｂ）のごとく、ブランキング時間が無いほかは前述部分強調モード１Ａと同じである。
【０１２３】
（第２の実施例）
第２の駆動方法として、図１０を参照して部分強調モード２を説明する。図１０は、第２の実施例に係る部分強調モード２を説明するためのタイミングチャートである。
【０１２４】
部分強調モード２による駆動は、第１の駆動方法と同様、分割駆動による全画面通常表示に対応する強調表示モードである。部分強調モード２を動作させるための設定は、設定部１３１ｄの設定レジスタの、部分強調モードレジスタに、“部分強調モード２”を設定するほかは、“部分強調モード１”と同じ設定である。
【０１２５】
部分強調モード２は、部分強調モード１Ｂが非強調領域駆動時間ｔａ２、強調領域追加駆動時間ｔｂ２の駆動時間の総和をＹ方向の１ライン走査時間ｔＨＤになるように演算を行うのに対し、図１０（ｂ）に示すように、全画面通常表示時の各ドライバの駆動時間の総和ｔＥＮＢＬになるように非強調領域駆動時間ｔａ、強調領域追加駆動時間ｔｂの駆動時間を算出、駆動時間制御を行う点が異なる。
【０１２６】
従って、部分強調モード１が、最初、全画面通常輝度駆動時のブランキング時間に輝度強調のための強調領域追加駆動時間を割り当てようとするのに対し、本実施例に係る部分強調モード２は、全画面通常輝度モードと部分輝度強調モードで駆動時間の総和が変化せず、部分輝度強調を行っても消費電力の増加がないモードである。
【０１２７】
（第３の実施例）
第３の駆動方法として、図１１、図１２を参照して全画素同一駆動による全画面通常輝度モードに対応する部分強調モード３による駆動について説明する。図１１は、前提となる全画素同一駆動による全画面通常輝度駆動を説明するためのタイミングチャートである。図１２は、第３の実施例に係る部分強調モード３を説明するためのタイミングチャートである。
【０１２８】
図１１に示す駆動モードは、従来から行われている通常の駆動モードであり、前述と同様、走査線駆動に先立ち、Ｘ方向ドライバＤＸ１からＤＸＮまでに対し、データＤＴ１からＤＴＮを書き込み、その後、全ドライバの出力イネーブル線、Ｅ１からＥＮまでを同時に、駆動時間“ｔａ３０”駆動する方式である。
【０１２９】
なお、本全画素同一駆動、全画面通常輝度モードの通常輝度駆動時間“ｔａ３０”は、１ライン走査時間ｔＨＤから設定部１３１ｄの設定レジスタへの設定値、ブランキング時間“ｔＢＬＮＫ３”を減算した形で算出される。
【０１３０】
次に、部分強調モード３の動作の説明をする。
【０１３１】
部分強調モード３においても、前述第１、第２の駆動方法と同様、統括制御部１９９は、部分強調モード３に設定するため、設定部１３１ｄの設定レジスタの、部分輝度強調設定レジスタに、“部分強調モード３”、部分輝度強調係数レジスタに“ｋ３”を書き込む。その他は、“部分強調モード１”と同じ設定である。
【０１３２】
部分強調モード３における輝度強調係数ｋ３は、前述第１、第２の駆動方法と同様、非強調領域の駆動時間に対する強調領域の駆動時間の比（ｔａ３＋ｔｂ３）／ｔａ３である。
【０１３３】
統括制御部１９９により、前記レジスタがセットされると、アドレスタイミング制御部１３１ｅは、前記設定された輝度強調係数ｋ３より、非強調領域駆動時間“ｔａ３”と、強調領域追加駆動時間“ｔｂ３”の和が１ライン走査時間ｔＨＤ内になるように、非強調領域駆動時間ｔａ３＝ｔＨＤ／ｋ３、強調領域追加駆動時間ｔｂ３＝ｔＨＤ×（１−１／ｋ３）を算出し、表示動作を開始する。
【０１３４】
本駆動方法においても、最初の走査線Ｙ１からＹｉ−１までは、非強調領域であり、前述全画面通常輝度駆動と同様、図１２（ａ）の非強調ラインの図に示すようにデータの最初の走査線Ｙ１に対して、データの書き込みが行われ、全ドライバの出力イネーブル線、Ｅ１からＥＮまでを同時に、通常駆動時間“ｔａ３”駆動し、その後ブランキング時間となる。
【０１３５】
強調領域を含む走査線Ｙｉになると、図１２（ｂ）の強調ラインの図のごとく、まず、全ドライバの出力イネーブル線、Ｅ１からＥＮまでを同時に、通常駆動時間“ｔａ３”駆動する。
【０１３６】
同時に、輝度強調領域を含むＸ方向ドライバＤＸ２に対し、駆動開始アドレス“ＡＤＳＴＡＴ”、駆動終了アドレス“ＤＸｎ”とデータ、また、ドライバＤＸｇに対し、駆動開始アドレス“０”、駆動終了アドレス“ＡＤＥＮＤｇ”とデータを書き込む。
【０１３７】
この場合、他の強調領域を含むＸ方向ドライバＤＸ３からＤＸｇ−１までの駆動開始アドレス、駆動終了アドレス、表示データは同一なので書き込む必要はない。
【０１３８】
そして、前記通常駆動時間“ｔａ３”が終了後、データ書き込みイネーブルＷ２、Ｗｇをインアクティブにし、強調領域アドレスとデータを出力バッファにセットし、強調領域追加駆動時間“ｔｂ３”駆動する。該駆動の途中、次の走査線のためのデータの書き込みを開始する。
【０１３９】
こうして、以降の強調領域を含む走査線Ｙｉ＋１からＹｊの駆動を行い、強調領域の駆動を終了後、非強調領域の走査線Ｙｊ＋１からＹｍまで前述した通常駆動時間“ｔａ３”による駆動を行い、１フレームの表示が終了する。
【０１４０】
（第４の実施例）
第４の駆動方法として、図１３を参照して部分強調モード４を説明する。図１３は、第４の実施例に係る部分強調モード４を説明するためのタイミングチャートである。部分強調モード４による駆動方法は、第３の駆動方法と同様、全画素同一駆動による全画面通常表示に対応する強調表示モードである。
【０１４１】
前述の部分強調モード３における、非強調領域駆動時間ｔａ３、強調領域追加駆動時間ｔｂ３の駆動時間の総和がＹ方向の１ライン走査時間ｔＨＤになるように演算を行うのに対し、本部分強調モード４では、図１３に示すように、部分強調領域の駆動時間の和が、全画面通常表示時のドライバの駆動時間“ｔａ３０”になるように非強調領域駆動時間“ｔａ３”、強調領域追加駆動時間“ｔｂ３”の駆動時間を算出するモードである。
【０１４２】
従って、部分強調モード２と同様、全画面通常輝度モードと本部分強調モード４で駆動時間の合計が変化せず、部分輝度強調を行っても消費電力の増加がないことを保証するモードである。
【０１４３】
（第５の実施例）
第５の駆動方法として、図１４、図１５を参照して部分強調モード５を説明する。図１４、図１５は、第５の実施例に係る部分強調モード５を説明するためのタイミングチャートである。
【０１４４】
部分強調モード５は、前述の部分強調モード３、部分強調モード４と同様、全画素同一駆動による全画面同一輝度表示に対応するものであり、部分強調時、非強調領域のみの１ライン走査時間ｔＨＤｂを非強調時のドライバ駆動時間（図１４（ｂ）のｔａ６）に等しく、また、強調領域がある場合のライン走査時間ｔＨＤｃを強調領域のドライバ駆動総和時間（図１４（ｂ）のｔａ６＋ｔｂ６）に等しくするように、１ラインの走査時間を非強調領域と強調領域で変化させることで駆動時間をより有効的に使用し、輝度強調領域の輝度を全画面通常輝度表示時の輝度より明るくする場合に使用するモードである。
【０１４５】
部分強調モード５における輝度強調係数ｋ６は、全画面通常輝度表示時の駆動時間ｔａ５に対する、部分輝度強調モード時の輝度強調領域の駆動時間ｔａ６＋ｔｂ６の比ｋ６＝（ｔａ６＋ｔｂ６）／ｔａ５であり、輝度強調範囲の駆動時間を、全画面通常輝度表示時の駆動時間より輝度強調係数ｋ６倍長く駆動するかということを設定する。これによって、輝度強調領域の輝度を全画面通常輝度表示時の輝度より明るくすることができる。
【０１４６】
次に、輝度強調係数ｋ６の算出の一手順を説明する。
【０１４７】
図１４に示すように、全画面表示時の全画面表示時の駆動時間はｔａ５である。
【０１４８】
一方、部分輝度強調時において、
Ｙ方向の画素数：ｍ
輝度強調するＹ方向強調領域範囲：ｐ
輝度強調係数：ｋ６＝（ｔａ６＋ｔｂ６）／ｔａ５
非強調領域の１ライン走査時間＝非強調領域の駆動時間：ｔＨＤｂ＝ｔａ６
強調領域の１ライン走査時間＝強調領域の駆動時間：ｔＨＤｃ＝（ｔａ６＋ｔｂ６）
であり、全画面通常輝度表示時、輝度強調表示時の１フレーム時間は等しく、
１フレーム時間：ｐ×（ｔａ６＋ｔｂ６）＋（ｍ−ｐ）×ｔａ６＝ｍ×ｔａ５である。
【０１４９】
ここで、輝度強調時の駆動時間を全画面通常輝度表示時の駆動時間より長くするためには、ｋ６＞１とする必要がある。
【０１５０】
上記より、ｔａ６＝（ｍ−ｐ×ｋ６）×ｔａ５／（ｍ−ｐ）＞０
であるように、ｔａ６が決定できれば、輝度強調時の駆動時間、全画面通常輝度表示時の駆動時間より長くなり、全画面通常輝度表示時より輝度を上げることが可能である。
【０１５１】
この場合、ｍ−ｐ＞０は常に成り立っているので、（ｍ−ｐ×ｋ６）＞０であるようにｋ６を設定すれば良い。
【０１５２】
次に、部分強調モード５の動作を説明する。
【０１５３】
部分強調モード５を動作させるため、統括制御部１９９は、まず、設定部１３１ｄの設定レジスタ部に、部分強調モード５と、前記手順に基づいた適当な輝度強調係数ｋ６をセットする。その他は、“部分強調モード１”と同じ設定である。
【０１５４】
統括制御部１９９により、前記前記レジスタがセットされると、アドレスタイミング制御部１３１ｅは、上記設定値より、前記非強調走査線駆動時間“ｔａ６”、輝度強調領域追加駆動時間“ｔｂ６”を算出し、表示制御の準備を行う。
【０１５５】
次に、最初の表示走査線Ｙ１に対するドライバＤＸ１からＤＸＮまでにデータの書き込みを開始する。
【０１５６】
データの書き込みが終了後、前述全画素同一駆動と同様、図１４の非強調時ラインの図のごとく、Ｘ方向ドライバＤＸ２〜ＤＸｇを含む、全Ｘ方向ドライバＤＸ１からＤＸＮまでを、非強調時駆動時間“ｔａ６”駆動する。この動作が、非強調領域走査線Ｙｉ−１まで行われる。この駆動時間“ｔａ６”で走査線Ｙ１の駆動は終了し、該駆動が非強調走査線Ｙｉ−１まで繰り返される。
【０１５７】
次に、強調領域を含む走査線Ｙｉになると、図１４の強調ラインの図のごとく、まず、Ｘ方向ドライバＤＸ２〜ＤＸｇを含む、全Ｘ方向ドライバＤＸ１からＤＸＮまでを、非強調時駆動時間“ｔａ６”駆動する。そして、該駆動時間が終了するまでに、輝度強調領域を含むドライバＤＸ２に対し、駆動開始アドレス“ＡＤＳＴＡＴ”、駆動終了アドレス“ＤＸｎ”とデータ、また、ドライバＤＸｇに対し、駆動開始アドレス“０”、駆動終了アドレス“ＡＤＥＮＤｇ”とデータを書き込む。
【０１５８】
この場合、他の強調領域ＤＸ３からＤＸｇ−１までの駆動開始アドレス、駆動終了アドレス、表示データは同一なので書き込む必要はない。
【０１５９】
そして、前記駆動時間“ｔａ６”が終了後、輝度を上げたい領域を含むドライバＤＸ２〜ＤＸｇのＸｉからＸｊまでの範囲を前記算出した輝度強調領域追加駆動時間“ｔｂ６”、駆動する。
【０１６０】
これにより前述したように、該ラインの輝度を上げたい領域は“ｔａ６＋ｔｂ６”駆動することになる。
【０１６１】
該駆動を強調領域を含む走査線Ｙｊまで繰り返す。
【０１６２】
その後、非強調領域の走査線Ｙｊ＋１からＹｍまで、前述と同様、非強調時駆動時間“ｔａ６”による駆動が繰り返され、１フレームが終了する。
【０１６３】
図１５は該１フレーム内の走査時間の推移を説明する図である。
【０１６４】
部分強調モード５動作時、非強調走査線の駆動時間は“ｔａ６”であり、強調領域を含む走査線の駆動時間は“ｔａ６＋ｔｂ６”で、該時間は前述したように、全画面通常輝度表示時の１走査線駆動時間“ｔａ５”よりも大きくなる。
【０１６５】
このように、全画面通常輝度表示のために使用している駆動時間を輝度強調領域に割り当てることで、図１４の全画面通常輝度表示より明るい表示が可能となる。また、同時に、非強調領域の駆動時間を減らすことになり、省電力制御も可能である。
【０１６６】
（他の実施例）
前記第５の駆動方法の算出式は一例であり、他の方法によることも可能である。
【０１６７】
また、全画面通常駆動表示として、１フレーム時間、１Ｈ期間にブランキング時間を有するものであれば、該ブランキング時間を輝度増加領域のラインとＸ方向ドライバを分割駆動することでも輝度増加は可能である。
【０１６８】
また、本実施例で各駆動時間に演算誤差が生じるような場合、わずかにブランキング時間を挿入することで調整し、ブランキング時間の無い動作と同等の動作が可能である。
【０１６９】
以上本発明に係る各実施の形態によれば、データ線用Ｘ方向の各ドライバは１Ｈ期間内において、独立して駆動時間が割り当てられるため、ドライバ毎に駆動時間を設定することができる。これにより、水平方向における注目箇所の表示輝度を相対的に増やすことができるとともに、省電力制御を可能とし、かつ容易に注目領域の輝度を増加することができる。
【０１７０】
ドライバの分割駆動タイミングは、１Ｈ期間内にドライバ毎に時系列的に順次駆動される場合には、強調データ線用のドライバの駆動時間が１倍より大きくなるように選択時間を延ばしたり、又は、選択回数を増やすとよい。或いは、全ドライバを時系列的に順次駆動した後に、強調データ線用のドライバが再び選択されて駆動されることで、１Ｈ期間内のドライバの駆動時間を注目箇所と非注目箇所とで異ならしめてもよい。
【０１７１】
１Ｈ期間内に全ドライバが一旦同時選択されて線順次方式と同様に１走査線上の画素が選択される場合には、同じ１Ｈ期間内の別のタイミングで、強調データ線用のドライバが再び選択されて駆動されることで、１Ｈ期間内のドライバの駆動時間を注目箇所と非注目箇所とで異ならしめてもよい。
【０１７２】
更には、注目箇所の走査線の走査線駆動時間（１Ｈ期間）が、非注目箇所のそれより長くなるようにすれば、垂直方向において更に表示輝度を注目箇所と非注目箇所とで異ならしめることができる。
【０１７３】
また、ドライバは所定のデータ線毎に１つの集積回路チップのようなドライバ回路を前提に説明したが、本発明においては、各データ線毎の駆動部分（１チャンネル分）をドライバとみなすことも可能であり、この場合には、データ線毎に駆動期間を設定可能である。
【０１７４】
また、通常、最大輝度での表示を行っている場合でも、非注目領域の駆動時間を注目領域の駆動時間にすることで、通常の最大輝度以上の輝度で表示可能となり、より注目領域を強調できる。
【０１７５】
また、非注目領域における駆動時間を短くし、輝度を下げることで、トータルの消費電力が同じまま、輝度の強調を可能とすることができる。
【０１７６】
また、ドライバを分割駆動することで、全ドライバ同時駆動に比較し、駆動電流を分散することで、駆動電源のピーク電流を減らすことができる。
【０１７７】
また、本発明の実施の形態には、次の実施態様も含まれる。
【０１７８】
［実施態様１］
複数の走査線と複数のデータ線とにより形成されたマトリクスの交点に表示画素が配置された表示パネルの表示を制御する表示制御装置において、
前記複数の走査線のうち選択された走査線に選択信号を供給し、駆動する走査線駆動手段と、
前記複数のデータ線に表示データに応じたデータ信号を供給し、該複数のデータ線を分割して駆動するデータ線駆動手段と、
前記表示パネルに配置された表示画素のうち表示輝度を変更する表示画素の表示領域を設定する設定手段と、を有し、
前記データ線駆動手段は、前記設定手段により設定された表示領域に存在するデータ線の駆動時間を、前記設定手段により設定されていない表示領域に存在するデータ線の駆動時間よりも長くすることを特徴とする表示制御装置。
【０１７９】
［実施態様２］
前記データ駆動手段は、前記複数のデータ線を分割したブロックごとに複数のデータ線ドライバを有し、前記データ線を、前記データ線ドライバごとに駆動することを特徴とする実施態様１に記載の表示制御装置。
【０１８０】
［実施態様３］
前記走査線駆動手段により選択された走査線の１水平走査期間が一定である表示制御装置であって、
前記設定手段により設定された表示領域に存在するデータ線の駆動時間を新たに変更する駆動時間変更手段を有し、
前記駆動時間変更手段により新たに変更された全てのデータ線の駆動時間と、前記設定手段により設定されていない表示領域に存在する全てのデータ線の駆動時間と、の総和が前記１水平走査期間以内であることを特徴とする実施態様１又は２に記載の表示制御装置。
【０１８１】
［実施態様４］
前記駆動変更手段により新たに変更されたデータ線の駆動時間は、通常駆動モードの場合のデータ線の駆動時間より長いことを特徴とする請求第３に記載の表示制御装置。
【０１８２】
［実施態様５］
前記データ線ドライバごとに前記データ線の駆動時間を制御し、前記設定手段により設定された表示領域に存在するデータ線の駆動時間を増やし、及び／又は前記設定手段により設定されていない表示領域に存在するデータ線の駆動時間を減らすことを特徴とする実施態様２乃至４のいずれかに記載の表示制御装置。
【０１８３】
［実施態様６］
実施態様１乃至５のいずれかに記載の表示制御装置と、
複数の走査線と、複数のデータ線と、前記複数の走査線と前記複数のデータ線とにより形成されたマトリクスの交点に配置された表示画素と、から構成される表示パネルと、
を有することを特徴とする表示装置。
【０１８４】
［実施態様７］
複数の走査線と複数のデータ線とにより形成されたマトリクスの交点に表示画素が配置された表示パネルの表示を制御する表示制御方法において、
前記複数の走査線のうち選択された走査線に選択信号を供給し、駆動する走査線駆動工程と、
前記複数のデータ線に表示データに応じたデータ信号を供給し、該複数のデータ線を駆動するデータ線駆動工程と、
前記表示パネルに配置された表示画素のうち表示輝度を変更すべき表示画素がある表示領域を設定する設定工程と、を有し、
前記データ線駆動工程では、前記設定工程にて設定された表示領域に存在するデータ線の駆動時間を、前記設定工程にて設定されていない表示領域に存在するデータ線の駆動時間よりも長くすることを特徴とする表示制御方法。
【０１８５】
なお、本発明に用いられる表示器としては、前述したようなマトリクス駆動可能な固定画素を持つ各種表示器が挙げられるが、とりわけ、自発光型の表示器、具体的には、ＥＬＤ、ＰＤＰ、ＦＥＤ、ＳＥＤ等の表示パネルが好ましく用いられる。
【０１８６】
【発明の効果】
以上説明したように、本発明は、データ線用Ｘ方向のドライバの少なくとも１つを１Ｈ期間内で分割して駆動することにより、省電力制御を可能とし、設定手段により設定された表示領域に存在するデータ線の駆動時間を、前記設定手段により設定されていない表示領域に存在するデータ線の駆動時間よりも長くすることで、容易に注目領域の輝度を増加することができる。
【図面の簡単な説明】
【図１】本実施の形態に係るＴＶ受信可能なインターネット端末装置の全体をあらわすブロック図である。
【図２】図１に示す端末装置の、描画及び制御部、表示部の詳細を示した図である。
【図３】表示器の一例を示した概略構成図である。
【図４】表示パネルの駆動動作を説明するための模式図である。
【図５】本実施の形態に係る駆動設定レジスタの内容を示す表である。
【図６】本実施の形態に係る強調表示領域を説明するための模式図である。
【図７】ドライバ分割駆動モードによる全画面通常輝度表示の駆動タイミングを示した図である。
【図８】第１の実施例に係る部分強調モード１Ａを説明するためのタイミングチャートである。
【図９】第１の実施例に係る部分強調モード１Ｂを説明するためのタイミングチャートである。
【図１０】第２の実施例に係る部分強調モード２を説明するためのタイミングチャートである。
【図１１】全画素同一駆動による全画面通常輝度駆動を説明するためのタイミングチャートである。
【図１２】第３の実施例に係る部分強調モード３を説明するためのタイミングチャートである。
【図１３】第４の実施例に係る部分強調モード４を説明するためのタイミングチャートである。
【図１４】第５の実施例に係る部分強調モード５を説明するためのタイミングチャートである。
【図１５】第５の実施例に係る部分強調モード５を説明するためのタイミングチャートである。
【符号の説明】
１０  端末装置
１０１  アンテナ部
１０２  受信部
１０３  変換部
１０５  通信送受信部
１１１  音声制御部
１１２  音声出力部
１３１  制御部
１３１ａ  表示データ合成部
１３１ｂ  表示メモリ部
１３１ｃ  描画制御部
１３１ｄ  設定部
１３１ｅ  アドレスタイミング制御部
１３２  表示部
１３２ａ  Ｘ方向ドライバ
１３２ｃ  Ｙ方向ドライバ
１３２ｄ  表示パネル
１９１  入力部
１９２  メモリ部
１９３  ＨＤＤ部
１９９  統括制御部
ｋ  輝度強調係数
Ｓ１１  内部バス
Ｓ１３ａ  表示データ線
Ｓ１３ｂ  出力イネーブル信号
Ｓ１３ｃ  Ｙ方向制御線
ｔＨＤ  １ライン走査時間
【図１】
2004295001.tif 000006
【図２】
2004295001.tif 000007
【図３】
2004295001.tif 000008
【図４】
2004295001.tif 000009
【図５】
2004295001.tif 000010
【図６】
2004295001.tif 000011
【図７】
2004295001.tif 000012
【図８】
2004295001.tif 000013
【図９】
2004295001.tif 000014
【図１０】
2004295001.tif 000015
【図１１】
2004295001.tif 000016
【図１２】
2004295001.tif 000017
【図１３】
2004295001.tif 000018
【図１４】
2004295001.tif 000019
【図１５】
2004295001.tif 000020